(57)【要約】【課題】複数ビームを有する半導体レーザにおいて、他チャンネルからのビームのオフセット発光の影響を一定にし、ＡＰＣ制御による光量誤差を一定にすることで、濃度むらをなくすことを目的とする。【解決手段】レーザ光を発生する複数の光源と、複数の光源の点灯を制御する点灯制御手段と、複数の光源のそれぞれのレーザ光の光量を検出する光量検出手段と、光量検出手段により検出された複数の光源の光量を記憶する光量記憶手段と、光量記憶手段により記憶された各光量に基づいて複数の光源の光量を制御する光量制御手段と、を備え、光量制御手段は、光量を制御する光源以外のその他の光源からの微弱発光量の影響を一定となるように制御して、複数の光源の光量を制御する。【選択図】図７
2010217332.tif 000002
【特許請求の範囲】
【請求項１】
レーザ光を発生する複数の光源と、
前記複数の光源の点灯を制御する点灯制御手段と、
前記複数の光源のそれぞれのレーザ光の光量を検出する光量検出手段と、
前記光量検出手段により検出された前記複数の光源の光量を記憶する光量記憶手段と、
前記光量記憶手段により記憶された各光量に基づいて前記複数の光源の光量を制御する光量制御手段と、
を備え、
前記光量制御手段は、前記光量を制御する光源以外のその他の光源からの微弱発光量の影響を一定となるように制御して、前記複数の光源の光量を制御することを特徴とする光ビーム走査装置。
【請求項２】
前記複数の光源の温度を計測する温度計測手段を、有し、
前記光量制御手段は、前記温度計測手段により計測された前記温度に基づいて前記複数の光源の光量を制御することを特徴とする請求項１に記載の光ビーム走査装置。
【請求項３】
前記点灯制御手段は、前記光量検出手段により前記光量を検出するための前記光源の点灯と、前記光量制御手段により前記光量を制御した前記光源の点灯と、を異なるタイミングで行うことを特徴とする請求項１または２に記載の光ビーム走査装置。
【請求項４】
前記光量検出手段に入射される前記レーザ光の光量を減ずる減光フィルタを、有し、
前記点灯制御手段は、前記光量検出手段により前記光量を検出するための前記光源の点灯と、前記光量制御手段により前記光量を制御した前記光源の点灯と、を同じタイミングで行うことを特徴とする請求項１から３のいずれか１項に記載の光ビーム走査装置。
【請求項５】
請求項１から４のいずれか１項に記載の光ビーム走査装置を備えることを特徴とする画像形成装置。
【請求項６】
レーザ光を発生する複数の光源の点灯を制御する点灯制御工程と、
前記複数の光源のそれぞれのレーザ光の光量を検出する光量検出工程と、
前記光量検出工程により検出された前記複数の光源の光量を記憶する光量記憶工程と、
前記光量記憶工程により記憶された各光量に基づいて、前記光量を制御する光源以外のその他の光源からの微弱発光量の影響を一定となるように制御して、前記複数の光源の光量を制御する光量制御工程と、を備えることを特徴とする光ビーム走査方法。
【請求項７】
前記光量制御工程は、前記複数の光源の温度を計測する温度計測工程により計測された前記温度に基づいて前記複数の光源の光量を制御することを特徴とする請求項６に記載の光ビーム走査方法。
【請求項８】
前記点灯制御工程は、前記光量検出工程により前記光量を検出するための前記光源の点灯と、前記光量制御工程により前記光量を制御した前記光源の点灯と、を異なるタイミングで行うことを特徴とする請求項６または７に記載の光ビーム走査方法。
【請求項９】
前記光量検出工程に入射される前記レーザ光の光量を減ずる減光フィルタを、有し、
前記点灯制御工程は、前記光量検出工程により前記光量を検出するための前記光源の点灯と、前記光量制御工程により前記光量を制御した前記光源の点灯と、を同じタイミングで行うことを特徴とする請求項６から８のいずれか１項に記載の光ビーム走査方法。
【請求項１０】
レーザ光を発生する複数の光源の点灯を制御する点灯制御処理と、
前記複数の光源のそれぞれのレーザ光の光量を検出する光量検出処理と、
前記光量検出処理により検出された前記複数の光源の光量を記憶する光量記憶処理と、
前記光量記憶処理により記憶された各光量に基づいて、前記光量を制御する光源以外のその他の光源からの微弱発光量の影響を一定となるように制御して、前記複数の光源の光量を制御する光量制御処理と、をコンピュータに実行させるためのプログラム。
【発明の詳細な説明】
【技術分野】
【０００１】
本発明は、感光体上を光ビームで走査する光ビーム走査装置、光ビーム走査方法、プログラム及び光ビーム走査装置を用いて画像を形成する画像形成装置に関する。
【背景技術】
【０００２】
半導体レーザを使用した画像形成装置において画像を形成するには、感光体上を光ビームで走査し画像情報を露光させることで行っている。そのため感光体上での光量を常に一定としておかなければ、形成される画像が所望の画像よりも濃くなったり薄くなったり、又は濃淡のムラの原因となってしまう。そこで、通常画像形成に使用する光ビームは、半導体レーザの光量を一定に保つＡＰＣ（Ａｕｔｏ  Ｐｏｗｅｒ  Ｃｏｎｔｒｏｌ）制御を行うことで、半導体レーザ出力される光量を一定とする方法がある。
【０００３】
しかし、今までの複数の発光素子をもち、複数のビームを出力することが出来る半導体レーザを用いた画像形成装置では、１つのビームをＡＰＣ制御している間に、他のビームが微弱に発光（オフセット発光）しており、その発光も拾ってしまうため精度の良いＡＰＣ制御動作が行えていないという問題があった。これは、発光させていないビームにおいてもバイアス電流を流しオフセット発光させておかなければ、ドループと呼ばれる光量低下が発生してしまうためである。
【０００４】
他のビームのオフセット発光量が常に一定であればＡＰＣ制御時の影響も一定なので、画像の濃度むらは発生しないが、ＬＤ（レーザダイオード）のオフセット発光量は温度により変化する。従い、ＬＤの温度変化によりオフセット発光量が変動するため画像の濃度むらが生じるという問題があった。
【０００５】
例えば特許文献１においては、複数光源を有する装置において、１走査毎に複数光源のうち１光源のＡＰＣ制御を行い、複数回の走査において順番に光源のＡＰＣ制御を行う場合でも、ドループの影響を小さくし、濃度むらを抑制するという方法が開示されている。
【発明の概要】
【発明が解決しようとする課題】
【０００６】
特許文献１に記載されている方法では、ＬＤのオフセット発光量は温度により変化するためＬＤアレイにおいて、1つのビームをＡＰＣ制御している間に、他チャンネルのオフセット発光も拾ってしまうため精度の良いＡＰＣ制御動作が行えていないというという問題は解消できていない。
【０００７】
そこで本発明は、上記問題点に鑑みてなされたもので、複数ビームを有する半導体レーザにおいて、他チャンネルからのビームのオフセット発光の影響を一定にし、ＡＰＣ制御による光量誤差を一定にすることで、濃度むらをなくすことを目的とする。
【課題を解決するための手段】
【０００８】
上記課題を解決するため、本発明に係る光ビーム走査装置は、レーザ光を発生する複数の光源と、複数の光源の点灯を制御する点灯制御手段と、複数の光源のそれぞれのレーザ光の光量を検出する光量検出手段と、光量検出手段により検出された複数の光源の光量を記憶する光量記憶手段と、光量記憶手段により記憶された各光量に基づいて複数の光源の光量を制御する光量制御手段と、を備え、光量制御手段は、光量を制御する光源以外のその他の光源からの微弱発光量の影響を一定となるように制御して、複数の光源の光量を制御することを特徴とする。
【０００９】
また本発明に係る光ビーム走査方法は、レーザ光を発生する複数の光源の点灯を制御する点灯制御工程と、複数の光源のそれぞれのレーザ光の光量を検出する光量検出工程と、光量検出工程により検出された複数の光源の光量を記憶する光量記憶工程と、光量記憶工程により記憶された各光量に基づいて、光量を制御する光源以外のその他の光源からの微弱発光量の影響を一定となるように制御して、複数の光源の光量を制御する光量制御工程と、を備えることを特徴とする。
【００１０】
また本発明に係るプログラムは、レーザ光を発生する複数の光源の点灯を制御する点灯制御処理と、複数の光源のそれぞれのレーザ光の光量を検出する光量検出処理と、光量検出処理により検出された複数の光源の光量を記憶する光量記憶処理と、光量記憶処理により記憶された各光量に基づいて、光量を制御する光源以外のその他の光源からの微弱発光量の影響を一定となるように制御して、複数の光源の光量を制御する光量制御処理と、をコンピュータに実行させることを特徴とする。
【発明の効果】
【００１１】
本発明により、複数ビームを有する半導体レーザにおいて、ＡＰＣ制御により濃度むらをなくすることが可能になる。
【図面の簡単な説明】
【００１２】
【図１】本発明の実施形態に係るタンデムタイプのカラー画像形成装置の構成図である。
【図２】本発明の実施形態に係る書込み装置内部の光学ユニットの構成図である。
【図３】本発明の実施形態に係るＡＰＣ制御フローチャート図である。
【図４】本発明の実施形態に係る４ｃｈのＬＤアレイを搭載した画像形成装置のブロック図である。
【図５】本発明の実施形態に係るＡＰＣ制御回路図である。
【図６】ＬＤ光量とＰＤに流れるモニタ電流の関係を示す図である。
【図７】ＡＰＣ光量を制御するアナログ電圧値を変化させる方法の構成を示す図である。
【図８】温度変化に伴うｉｔｈの変化を示す図である。
【図９】ＬＤ温度から設定するＶｃｏｎｔ値を決定する方法の構成を示す図である。
【図１０】ＡＰＣ制御の光量を変化させるときの、ＡＰＣの制御フロー図である。
【図１１】ＡＰＣ制御の光量を変化させるときの、ＡＰＣの制御フロー図である。
【図１２】ＡＰＣ制御の光量を変化させたときのＡＰＣ点灯信号のタイミングチャート図である。
【図１３】本発明の実施形態に係る光ビーム検知手段に入射される光量を減ずる減光フィルタを備えた光ビーム走査装置を示す図である。
【発明を実施するための形態】
【００１３】
図１は、本発明の一実施形態に係る、タンデムタイプといわれるカラー画像形成装置の構成図である。
【００１４】
本実施形態において、図１に示すように搬送ベルトに沿って画像形成部が並んだタンデムタイプといわれるカラー画像形成装置の構成を説明する。
【００１５】
本実施形態における、カラー画像形成装置は、画像形成部Ａと、搬送ベルト２と、搬送ローラ３、４と、給紙トレイ５と、露光器８と、定着器１３と、レジストセンサ１４と、を備える。
【００１６】
カラー画像形成部Ａの第１の画像形成部（イエロー：Ｙ）は、感光体ドラム６Ｙと、帯電器７Ｙと、露光器８と、現像器９Ｙと、感光体クリーナ１０Ｙと、を備える。
【００１７】
様々な異なる色（イエロー：Ｙ、マゼンタ：Ｍ、シアン：Ｃ、ブラック：Ｋ）の画像を形成する画像形成部Ａが、転写紙１を搬送する搬送ベルト２に沿って一列に配置されている。搬送ベルト２は、その一方が駆動回転する駆動ローラと他方が従動回転する従動ローラである搬送ローラ３、４によって架設されており、搬送ローラの回転により矢印方向に回転駆動される。
【００１８】
搬送ベルトの下部には、転写紙１が収納された給紙トレイ５が備えられている。収納された転写紙１のうち最上位置にある転写紙は、画像形成時には給紙され、途中レジストセンサ１４により各ユニットとのタイミングが取られ、静電吸着によって搬送ベルト上に吸着される。吸着された転写紙１は、第１の画像形成部（イエロー）に搬送され、ここでイエローの画像形成が行われる。
【００１９】
第１の画像形成部（イエロー）は、感光体ドラム６Ｙと感光体ドラムの周囲に配置された帯電器７Ｙ、露光器８、現像器９Ｙ、感光体クリーナ１０Ｙから構成されている。感光体ドラム６Ｙの表面は、帯電器７Ｙで一様に帯電された後、露光器８によりイエローの画像に対応したレーザ光１１Ｙで露光され、静電潜像が形成される。
【００２０】
形成された静電潜像は現像器９Ｙで現像され、感光体ドラム上にトナー像が形成される。このトナー像は感光体ドラムと搬送ベルト上の転写紙と接する位置（転写位置）で転写器１２Ｙによって転写され、転写紙上に単色（イエロー）の画像を形成する。転写が終わった感光体ドラムは、ドラム表面に残った不要なトナーを感光体クリーナ１０Ｙによってクリーニングされ、次の画像形成に備えることとなる。
【００２１】
このように、第１の画像形成部（イエロー）で単色（イエロー）を転写された転写紙１は、搬送ベルト２によって第２の画像形成部（マゼンタ）に搬送される。ここでも、同様に感光体ドラム６Ｍ上に形成されたトナー像（マゼンタ）は、転写紙上に重ねて転写される。転写紙は、さらに第３の画像形成部（シアン）第４の画像形成部（ブラック）に搬送され、同様に形成されたトナー像を形成されたトナー像を転写されてカラー画像を形成してゆく。第４の画像形成部を通過してカラー画像が形成された転写紙は、搬送ベルトから剥離され、定着器１３にて定着された後、排紙される。
【００２２】
図２は、本実施形態に係わる書込み装置（図１の８）内部の光学ユニットの構成図である。書込み装置（図１の８）内部の光学ユニットの上から見た図を示す。
【００２３】
画像形成に必要となる光ビームは、ＬＤユニットＢＫ３１、ＬＤユニットＹ３２、ＬＤユニットＣ４２、ＬＤユニットＭ４３中に存在するＬＤ制御基板ＢＫ５３、ＬＤ制御基板Ｙ５４、ＬＤ制御基板Ｃ５２、ＬＤ制御基板Ｍ５５、それぞれに搭載されるＬＤから出力される。
【００２４】
ＬＤユニットＢＫ３１およびＬＤユニットＹ３２からの光ビームはシリンダレンズＣＹＬ_ＢＫ３３、ＣＹＬ_Ｙ３４を通り、反射ミラーＢＫ３５および反射ミラーＹ３６によってポリゴンミラー３７の下方面に入射し、ポリゴンミラー３７が回転することにより偏向され、ｆθレンズＢＫＣ３８およびｆθレンズＹＭ３９を通り、第１ミラーＢＫ４０および第１ミラーＹ４１によって折り返される。
【００２５】
一方、ＬＤユニットＣ４２およびＬＤユニットＭ４３からの光ビームは、ＣＹＬ_Ｃ４４およびＣＹＬ_Ｍ４５を通り、ポリゴンミラー３７の上方面に入射し、ポリゴンミラー３７が回転することにより偏向され、ｆθレンズＢＫＣ３８およびｆθレンズＹＭ３９を通り、第１ミラーＣ４６および第１ミラーＭ４７によって折り返される。
【００２６】
主走査方向の書き出し位置（Ｂ、Ｃ）より上流側にシリンダミラーＣＹＭ_ＢＫＣ４８およびＣＹＭ_ＹＭ４９さらにはセンサＢＫＣ５０およびセンサＹＭ５１が備わっており、ｆθレンズＢＫＣ３８およびｆθレンズＹＭ３９を通った光ビームがＣＹＭ_ＢＫＣ４８およびＣＹＭ_ＹＭ４９によって反射集光されて、センサＢＫＣ５０およびセンサＹＭ５１に入射するような構成となっている。これらのセンサは、主走査方向の同期を取るための同期検知センサである。
【００２７】
また、ＬＤユニットＢＫ３１およびＬＤユニットＣ４２からの光ビームでは、共通のＣＹＭ_ＢＫＣ４８ならびにセンサＢＫＣ５０を使用している。ＬＤユニットＹ３２およびＬＤユニットＭ４３についても同様である。同じセンサに２色の光ビームが入射することとなるので、各色の光ビームのポリゴンミラー３７への入射角を異なるようにすることで、それぞれの光ビームがセンサに入射するタイミングを変え、時系列的にパルス列として出力されるようになっている。図２からも分かるように、ＢＫとＣおよびＹとＭは逆方向に走査される。
【００２８】
図３は、ＡＰＣ制御フローチャート図である。
【００２９】
ＬＤを使用した画像形成装置では、感光体上を光ビームで走査しながら、画像情報に応じてＬＤの点灯をＯＮ／ＯＦＦさせ露光させることで行っている。そのため、感光体上での光量を感光体感度に応じて一定に保っておく必要がある。通常画像形成に使用する光ビームは、ＬＤの特性を検出する初期化動作及び光量を一定に保つＡＰＣ（Ａｕｔｏ  ｐｏｗｅｒ  ｃｏｎｔｒｏｌ）制御を行うことで、ＬＤ（レーザダイオード）から出力される光量を一定とする制御をしている。まず画像形成のためにＬＤを点灯させる直前に初期化動作を実施し（ステップＳ１０１）、次に１ライン走査を行い（ステップＳ１０２）、ＡＰＣ制御（ステップＳ１０３）を行う。ＡＰＣ制御動作は１ライン走査ごとに画像領域外で行われる。次に１ライン走査が終了かを判断し（ステップＳ１０４）、終了していない場合（ステップＳ１０４、ＮＯ）は、判断を繰り返す。１ライン走査が終了した場合（ステップＳ１０４、ＹＥＳ）はＡＰＣ制御を終了する。
【００３０】
図４は、４チャンネル（ｃｈ）の半導体レーザ素子（ＬＤアレイ）を搭載した画像形成装置のブロック図である。
【００３１】
次に、複数の光源を持つ半導体レーザ素子（以下、ＬＤアレイとする）を使用した光ビーム走査装置の構成について説明する。図４に示すように画像を読取るスキャナ部２１、スキャナで読取ったデータに応じて書込制御を行う書込制御部２２、ＬＤアレイのＡＰＣ動作を行うＬＤ制御部２３により構成される。また、ＬＤアレイは図４に示すように複数の発光素子に対して１つの受光素子（ＰＤ）という構造をしている。（図４は４ｃｈのＬＤアレイの図である）
【００３２】
このようにＬＤアレイは複数のＬＤ素子と１つのＰＤ素子で構成されるため、発光素子を同時に光量調整制御することは困難である。また、画像作成時にはドループと呼ばれる経時の光量低下を抑制するために常にバイアス電流を流しておかなければならず、使用していない場合でも微弱に発光（以下オフセット発光とする）させている。そのため、ＬＤアレイにおいて、ＡＰＣ制御動作する際には他ｃｈ（チャンネル）からのオフセット発光をＰＤ素子で拾ってしまうため、精度の良い光量調整制御が行えていなかった。
【００３３】
図５は、ＡＰＣ制御回路を示す図である。
【００３４】
本実施形態では、複数の光源を有する半導体レーザにおいて１つのチャンネルの光量調整制御時に他チャンネルからのオフセット発光による影響を一定にさせる制御を行う光ビーム走査装置について説明する。
【００３５】
まず、その制御方法を説明する。ＡＰＣ制御は、ＬＤアレイの発光量をＰＤで受光し、その結果流れる電流ＩｍをモニタすることによりＶｐｄを調節する制御である。ここでＶｃｏｎｔは書込制御部１２から与えられる基準電圧である。ＰＤに流れる電流はＩｍ＝Ｖｐｄ／Ｒｐｄで表され、モニタ電流Ｉｍによりフィードバック制御することで、ＶｐｄがＶｃｏｎｔと等しくなる様にＬＤ制御部で制御されている。
【００３６】
ＬＤアレイの場合は、通常ＰＤを１個しか持たないため、ＡＰＣ制御動作以外のｃｈのＬＤが発光していると、その光（オフセット光）の光量も拾ってしまう。オフセット光の光量が常に一定であれば、ＡＰＣ制御によりＬＤ光量も一定となり濃度ムラは生じないし、もし生じても、その補正は容易である。しかし、オフセット光にはＬＤの温度特性があるため、すなわちＬＤの温度変化に伴う濃度ムラが生じてしまうのである。
【００３７】
図６は、Ｌ−Ｉ特性を示す図である。ｔ１及びｔ２は温度を示す。Ｉｔｈ＿ｔ１及びＩｔｈ＿ｔ２は閾値電流を示す。Ｉｔｈ＿ｔ１−Ｉｓｕｂ１及びＩｔｈ＿ｔ２−Ｉｓｕｂ２はバイアス電流を示す。Ｐｏｆｆｓｅｔ＿ｔ１及びＰｏｆｆｓｅｔ＿ｔ２はオフセット発光量を示す。Ｉｍ＿ｏｆｆｓｅｔ＿ｔ１及びＩｍ＿ｏｆｆｓｅｔ＿ｔ２は光量調整制御を行っていないｃｈからのオフセット発光によるＰＤ電流を示す。Ｐａｐｃ＿ｔ１及びＰａｐｃ＿ｔ２はＡＰＣ光量（他ｃｈからのオフセット光量を含む）を示す。Ｉｍ＿ｔ１及びＩｍ＿ｔ２は光量調整（ＡＰＣ）時のＰＤに流れるモニタ電流を示す。
【００３８】
温度変化により、図６のようにＩｔｈが変動する（Ｉｔｈ＿ｔ１とＩｔｈ＿ｔ２）。バイアス電流をＩｔｈ−Ｉｓｕｂ（定数）で決定するとき、Ｉｔｈが変化するとバイアス電流も変化する。従って、バイアス電流によるオフセット発光量（Ｉｍ＿ｏｆｆｓｅｔ＿ｔ１、Ｉｍ＿ｏｆｆｓｅｔ＿ｔ２）も温度により異なり、ＡＰＣ光量を常に一定でＡＰＣ制御を行うと、ＡＰＣ光量／オフセット光量は温度により変動する。
【００３９】
そこで、全ｃｈの光量Ｐａｐｃ／オフセット光量ＰａｐｃがＡＰＣ制御毎に一定（ここではＲ０とする）になるＡＰＣ光量でＡＰＣ制御を行うことで、（オフセット光の影響は排除できないが、その程度が一定であるので）濃度むらをなくすことができる。
【００４０】
そのためにはＡＰＣ制御動作以前にＡＰＣ制御動作以外のＬＤのオフセット発光量を計測しておき、その光量に応じて、ＡＰＣ光量を制御するアナログ電圧Ｖｃｏｎｔの値を変化させる方法がある（図７）。
【００４１】
図７にＡＰＣ光量を制御するアナログ電圧Ｖｃｏｎｔの値を変化させる方法の構成を示す。ここで、全ｃｈ光量分の電流量とオフセット光量分の比を、Ｉｍ＿ｔ１／Ｉｍ＿ｏｆｆｓｅｔ＿ｔ１＝Ｒ１及びＩｍ＿ｔ２／Ｉｍ＿ｏｆｆｓｅｔ＿ｔ２＝Ｒ２とする。
【００４２】
ＬＤ温度Ｔ１のとき、ＬＤのＬ−Ｉ特性は図６に示すようになる。そこで、図７において、ＡＰＣ制御前にオフセット発光分のＰＤ電流量（Ｉｍ＿ｏｆｆｓｅｔ＿ｔ１）を計測し、レジスタに保存する。このとき、Ｒ１＝Ｒ０にするためには、全ｃｈ光量分の電流量Ｉｍ＿ｔ１＝（Ｒ０／オフセット光量分の電流量Ｉｍ＿ｏｆｆｓｅｔ＿ｔ１）となるようなアナログ電圧値Ｖｔ１をＶｃｏｎｔ値に設定する必要がある。設定するアナログ電圧値はＶｔ１＝Ｒｐｄ×Ｉｍ＿ｔ１である。レジスタに保存されたデータからＣＰＵにおいて本演算を行いＶｔ１を算出し、アナログ電圧値Ｖｃｏｎｔを変化させる。
【００４３】
また、別の方法として、ＬＤ温度をモニタ（熱電対又はサーミスタなど）し、ＬＤ温度により設定するＶｃｏｎｔ値を決定する方法がある。（Ｒ０については上記の内容と同様である）。その構成は図９で説明する。
【００４４】
図８は、Ｉｔｈの温度依存性を示したグラフである。
【００４５】
図９は、ＬＤ温度をモニタし、ＬＤ温度から設定するＶｃｏｎｔ値を決定する方法の構成を示す。
【００４６】
あらかじめ図８に示すような、Ｉｔｈと温度の関係をメモリ（図９ではＮＶＲＡＭ）に記憶しておくことで、ＬＤ温度をモニタして、その温度からＩｔｈを決定することができる。
【００４７】
例えば、バイアス電流Ｉｂ＿ｔ１＝Ｉｔｈ−Ｉｓｕｂ（定数）としたとき、レーザ発光閾値（Ｉｔｈ）以下の領域でのＩ−Ｌ特性より、Ｉｍ＿ｏｆｆｓｅｔ＿ｔ１がわかる。
【００４８】
このとき、Ｉｍ＿ｔ１／Ｉｍ＿ｏｆｆｓｅｔ＿ｔ１＝Ｒ０にするためには、全ｃｈ光量分の電流量Ｉｍ＿ｔ１＝（Ｒ０／Ｉｍ＿ｏｆｆｓｅｔ＿ｔ１）となるようなアナログ電圧値Ｖｔ１をＶｃｏｎｔ値に設定する必要がある。
【００４９】
設定するアナログ電圧値はＶｔ１＝Ｒｐｄ×Ｉｍ＿ｔ１である。そしてレジスタに保存されたデータからＣＰＵにおいて本演算を行い、アナログ電圧値Ｖｃｏｎｔを変化させる。
【００５０】
図１０は、ＡＰＣ制御の光量を変化させるときの、ＡＰＣの制御フロー図である。図１０は、有効走査領域よりも光源の大きさを変化させてラインＡＰＣを行うときの制御を示すフローである。
【００５１】
まず画像形成のためにＬＤを点灯させる直前に初期化動作を実施（ステップＳ２０１）し、次に１ライン走査を行い（ステップＳ２０２）、ＡＰＣ制御動作以前にＡＰＣ制御対象以外のＬＤのオフセット発光量を計測（ステップＳ２０３）する。その光量に応じて、ＡＰＣ光量を制御するアナログ電圧Ｖｃｏｎｔの値を計算（ステップＳ２０４）し、Ｖｃｏｎｔ値を設定する（ステップＳ２０５）。次に、対象ｃｈのＡＰＣ制御を行う（ステップＳ２０６）。次に設定したＶｃｏｎｔ値を初期値に戻す（ステップＳ２０７）。全ｃｈのＡＰＣ制御が完了したかを判断（ステップＳ２０８）し、完了していない場合（ステップＳ２０８、ＮＯ）は、ステップＳ２０３に戻る。完了している場合（ステップＳ２０８、ＹＥＳ）は、１ライン走査が終了かを判断（ステップＳ２０９）し、終了していない場合（ステップＳ２０９、ＮＯ）は、ステップＳ２０２に戻る。１ライン走査が終了した場合（ステップＳ２０９、ＹＥＳ）は、ＡＰＣ制御を終了する。
【００５２】
図１１は、ＬＤ温度から設定するＶｃｏｎｔ値を決定する方法のＡＰＣの制御フロー図である。
【００５３】
まず画像形成のためにＬＤを点灯させる直前に初期化動作を実施（ステップＳ３０１）し、次に１ライン走査を行い（ステップＳ３０２）、ＡＰＣ制御動作以前にＡＰＣ制御対象以外のＬＤの温度を計測（ステップＳ３０３）する。その光量に応じて、ＡＰＣ光量を制御するアナログ電圧Ｖｃｏｎｔの値を計算（ステップＳ３０４）し、Ｖｃｏｎｔ値を設定する（ステップＳ３０５）。次に、対象ｃｈのＡＰＣ制御を行う（ステップＳ３０６）。次に設定したＶｃｏｎｔ値を初期値に戻す（ステップＳ３０７）。全ｃｈのＡＰＣ制御が完了したかを判断（ステップＳ３０８）し、完了していない場合（ステップＳ３０８、ＮＯ）は、ステップＳ３０３に戻る。完了している場合（ステップＳ３０８、ＹＥＳ）は、１ライン走査が終了かを判断（ステップＳ３０９）し、終了していない場合（ステップＳ３０９、ＮＯ）は、ステップＳ３０２に戻る。１ライン走査が終了した場合（ステップＳ３０９、ＹＥＳ）は、ＡＰＣ制御を終了する。
【００５４】
図１２は、ＡＰＣ制御の光量を変化させるときの、ＡＰＣ点灯信号のタイミングチャート図である。
【００５５】
同期信号は、ライン間の同期を取るためのライン開始信号を示す。ＢＤ点灯信号は、同期信号を生成するために行う点灯（ＢＤ点灯）信号を示す。ＡＰＣ点灯信号は、ＡＰＣ点灯用信号を示す。Ｖｃｏｎｔは、ＡＰＣ光量を制御するアナログ電圧であり、この値が大きいほど、ＬＤの光量が大きくなる。
【００５６】
また光ビーム走査装置において、ＡＰＣ点灯とは別に、装置に備えられた光ビーム検知手段（以下、同期検知板という）による光ビームの検知のための光ビーム点灯（以下、ＢＤ点灯という）が行われる。ＬＤの光量を増加させてＡＰＣ点灯時を行った場合に、ＡＰＣ点灯とＢＤ点灯とを異なるタイミングで行う。ＢＤ点灯は画像形成領域と同等レベルにすることで、同期検知板のＰＤに定格以上の光量が入射されて、劣化または破壊に至ることを防ぐようになっている。
【００５７】
図１３は、光ビーム検知手段に入射される光量を減ずる減光フィルタを備えた光ビーム走査装置の図である。
【００５８】
図２の構成と同様なものについては、同じ符号を示す。図２の構成に加えて、センサに入射される手前に減光フィルタ６０、６１を設置し、ＰＤに入射される光量を減らすような構成になっている。
【００５９】
また上記の実施形態によれば、光量調整を行う光源以外の微弱発光の影響を一定にする手段を備えているため、精度の高い光量調整行うことが出来る。
【００６０】
また上記の実施形態によれば、光量調整制御を行っている光源以外の微弱発光量を光量調整制御以前に計測しておき、光量調整制御時の光量を測定した微弱発光量に比例した大きさに変更するため、光量調整を行う光源以外の微弱発光の影響が一定になり、画像形成時の濃度ムラを無くすことができる。
【００６１】
また上記の実施形態によれば、ＬＤ温度をモニタし、その結果から、光量調整制御時の光量を微弱発光量に比例した大きさに変更するため、光量調整を行う光源以外の微弱発光の影響が一定になり、画像形成時の濃度ムラを無くすことができる。
【００６２】
また上記の実施形態によれば、装置に備えられた光ビーム検知手段による光ビームの検知のための光ビーム点灯と、光量調整制御点灯とを異なるタイミングで行うため、同期検知板のＰＤに定格以上の光量が入射され、劣化または破壊に至ることを防ぐことができる。
【００６３】
また上記の実施形態によれば、光ビーム検知手段に入射される光量を減ずる減光フィルタを、光ビーム検知手段直前に備えるため、光ビーム検知手段のPDに定格以上の光量が入射され、劣化または破壊に至ることを防ぐことができる。
【００６４】
また本発明は、複数の光源の温度を計測する温度計測手段を、有し、光量制御手段は、温度計測手段により計測された温度に基づいて複数の光源の光量を制御するようにしても良い。
【００６５】
また本発明の点灯制御手段は、光量検出手段により光量を検出するための光源の点灯と、光量制御手段により光量を制御した光源の点灯と、を異なるタイミングで行うようにしても良い。
【００６６】
また本発明は、光量検出手段に入射されるレーザ光の光量を減ずる減光フィルタを、有し、点灯制御手段は、光量検出手段により光量を検出するための光源の点灯と、光量制御手段により光量を制御した光源の点灯と、を同じタイミングで行うようにしても良い。
【００６７】
また本発明は、上記の光ビーム走査装置を搭載する画像形成装置であっても良い。
【００６８】
また本発明の光量制御工程は、複数の光源の温度を計測する温度計測工程により計測された温度に基づいて複数の光源の光量を制御するようにしても良い。
【００６９】
また本発明の点灯制御工程は、光量検出工程により光量を検出するための光源の点灯と、光量制御工程により光量を制御した光源の点灯と、を異なるタイミングで行うようにしても良い。
【００７０】
また本発明は、光量検出工程に入射されるレーザ光の光量を減ずる減光フィルタを、有し、点灯制御工程は、光量検出工程により光量を検出するための光源の点灯と、光量制御工程により光量を制御した光源の点灯と、を同じタイミングで行うようにしても良い。
【産業上の利用可能性】
【００７１】
本発明によれば、光ビーム走査装置及び画像形成装置などの用途に適用できる。
【符号の説明】
【００７２】
Ａ    画像形成部
１    転写紙
２    搬送ベルト
３、４    搬送ローラ
５    給紙トレイ
６Ｙ、６Ｍ    感光体ドラム
７Ｙ    帯電器
８    露光器
９Ｙ    現像器
１０Ｙ    感光体クリーナ
１１Ｙ    レーザ光
１３    定着器
１４    レジストセンサ
２１    スキャナ部
２２    書込制御部
２３    ＬＤ制御部
３１、３２、４２、４３    ＬＤユニット
３３、３４    シリンダレンズ
３５、３６    反射ミラー
３７    ポリゴンミラー
３８、３９    ｆθレンズ
４０、４１、４６、４７    第１ミラー
４４、４５、４８、４９    ＣＬＹ
５０、５１    センサ
５２、５３、５４、５５    ＬＤ制御基板
【先行技術文献】
【特許文献】
【００７３】
【特許文献１】特開２００６−６９２０５号公報
【図１】
2010217332.tif 000003
【図２】
2010217332.tif 000004
【図３】
2010217332.tif 000005
【図４】
2010217332.tif 000006
【図５】
2010217332.tif 000007
【図６】
2010217332.tif 000008
【図７】
2010217332.tif 000009
【図８】
2010217332.tif 000010
【図９】
2010217332.tif 000011
【図１０】
2010217332.tif 000012
【図１１】
2010217332.tif 000013
【図１２】
2010217332.tif 000014
【図１３】
2010217332.tif 000015